(57)【要約】【課題】高画質の画像を表示できる表示装置及び表示方法を提供することである。【解決手段】実施形態によれば、表示装置は、表示部と表示制御部を具備する。表示部は、第１の色成分の光を発する第１の副画素、第２の色成分の光を発する第２の副画素及び第３の色成分の光を発する第３の副画素を含む画素を備える。表示制御部は、第１の色成分の階調値、第２の色成分の階調値及び第３の色成分の階調値を示す第１の画像信号に基づいて、少なくとも第１の副画素の階調値、第２の副画素の階調値及び第３の副画素の階調値を示す第２の画像信号を生成し、第２の画像信号を表示部に供給する。表示制御部は、第１の色成分、第２の色成分及び第３の色成分の少なくとも１つの色成分の最大階調値が最大階調値より小さい第１の階調値となるように第２画像信号を生成する。【選択図】図１３
2020079870.tif 000002
【特許請求の範囲】
【請求項１】
第１の色成分の光を発する第１の副画素、第２の色成分の光を発する第２の副画素及び第３の色成分の光を発する第３の副画素を含む画素を備える表示部と、
前記第１の色成分の階調値、前記第２の色成分の階調値及び前記第３の色成分の階調値を示す第１の画像信号に基づいて、少なくとも前記第１の副画素の階調値、前記第２の副画素の階調値及び前記第３の副画素の階調値を示す第２の画像信号を生成し、前記第２の画像信号を前記表示部に供給する表示制御部と、
を具備し、
前記表示制御部は、前記第１の色成分、前記第２の色成分及び前記第３の色成分の少なくとも１つの色成分の最大階調値が前記最大階調値より小さい第１の階調値となるように前記第２の画像信号を生成する表示装置。
【請求項２】
前記画素は、第４の色成分の光を発する第４の副画素をさらに含み、
前記第２の画像信号は、前記第１の副画素の階調値、前記第２の副画素の階調値、前記第３の副画素の階調値及び前記第４の副画素の階調値を示す請求項１記載の表示装置。
【請求項３】
前記第１の色成分は赤色成分であり、前記第２の色成分は緑色成分であり、前記第３の色成分は青色成分であり、前記第４の色成分は白色成分である請求項２記載の表示装置。
【請求項４】
前記第１の画像信号は、それぞれが赤色の光を発する副画素、緑色の光を発する副画素及び青色の光を発する副画素からなる第１の画素と第２の画素に含まれる６副画素の階調値を示す信号であり、
前記表示制御部は、前記第１の画像信号に含まれる６副画素の階調値に基づいて、前記第１の副画素の階調値、前記第２の副画素の階調値、前記第３の副画素の階調値及び前記第４の副画素の階調値を示す前記第２の画像信号を生成する請求項２又は請求項３記載の表示装置。
【請求項５】
前記第１の画像信号の第１のフレームにおいて、前記第１の画素の階調値が最大値であり、前記第２の画素の階調値が最小値であり、前記第１の画像信号の第２のフレームにおいて、前記第１の画素の階調値が前記最小値であり、前記第２の画素の階調値が前記最大値である場合、
前記表示制御部は、
前記第１のフレームにおいて、前記第１の副画素、前記第２の副画素及び前記第３の副画素の階調値が前記最大値より小さい第１の値であり、前記第４の副画素の階調値が前記最小値であり、
前記第２のフレームにおいて、前記第１の副画素、前記第２の副画素及び前記第３の副画素の階調値が前記最小値より大きく前記第１の値より小さい第２の値であり、前記第４の副画素の階調値が前記最大値より小さく前記第１の値より大きい第３の値であるような前記第２の画像信号を生成する請求項４記載の表示装置。
【請求項６】
前記第１の画像信号の第１のフレームにおいて、前記第１の画素の階調値が最大値であり、前記第２の画素の階調値が最小値であり、前記第１の画像信号の第２のフレームにおいて、前記第１の画素の階調値が前記最小値であり、前記第２の画素の階調値が前記最大値であり、前記第１の副画素、前記第２の副画素及び前記第３の副画素の輝度に比べ前記第４の副画素の輝度が低い場合、
前記表示制御部は、
第１のフレームにおいて、前記第１の副画素、前記第２の副画素及び前記第３の副画素の階調値がすべて前記最大値より小さい第１の値であり、前記第４の副画素の階調値が前記最小値であり、
第２のフレームにおいて、前記第１の副画素、前記第２の副画素及び前記第３の副画素の階調値がすべて前記最小値より大きく前記第１の値より小さい第２の値であり、前記第４の副画素の階調値が前記最大値より小さく前記第１の値より大きい第３の値であるような前記第２の画像信号を生成し、
前記第２のフレームにおいて、前記第２の値が前記第２の値より大きく前記第１の値より小さい第４の値に変更され、前記第３の値が前記第３の値より小さく前記第１の値より大きい第５の値に変更されるように前記第２の画像信号を補正する請求項４記載の表示装置。
【請求項７】
前記第５の値に対応する輝度は前記第３の値に対応する輝度の９５％以上であり、前記第４の値に対応する輝度と前記第２の値に対応する輝度との差は０．２５以内である請求項６記載の表示装置。
【請求項８】
前記第１の画像信号の第１のフレームにおいて、前記第１の画素の階調値が最大値であり、前記第２の画素の階調値が最小値であり、前記第１の画像信号の第２のフレームにおいて、前記第１の画素の階調値が前記最小値であり、前記第２の画素の階調値が前記最大値である場合、
前記表示制御部は、
前記第１のフレームにおいて、前記第１の副画素、前記第２の副画素及び前記第３の副画素の階調値が前記最大値より小さい第１の値であり、前記第４の副画素の階調値が前記最小値より大きい第２の値であり、
前記第２のフレームにおいて、前記第１の副画素、前記第２の副画素及び前記第３の副画素の階調値が前記第２の値であり、前記第４の副画素の階調値が前記第１の値であるような前記第２の画像信号を生成する請求項４記載の表示装置。
【請求項９】
前記第１の値に対応する輝度は前記最大値に対応する輝度の９５％以上であり、前記第２の値に対応する輝度と前記最小値に対応する輝度との差は０．２５以内である請求項８記載の表示装置。
【請求項１０】
前記表示部はそれぞれが第１の色成分の光を発する第１の副画素、第２の色成分の光を発する第２の副画素及び第３の色成分の光を発する第３の副画素を含む第１の画素と第２の画素を備え、
前記表示制御部は、
前記第１の画像信号の階調値が第１の値以下かつ前第２画像信号の階調値が０の場合、前記第１の画素の階調値が第１の画像信号の階調値であり、前記第２の画素の階調値が０であり、
前記第１の画像信号の階調値が前記第１の値以下ではなくかつ第２画像信号の階調が０の場合、前記第１の画素の階調値が前記第１の値であり、前記第２の画素の階調値が前記第１の画素と前記第２の画素の輝度値になるように前記第２の画像信号を生成する請求項１記載の表示装置。
【請求項１１】
前記表示部はフリンジ・シールド・スイッチングモードの液晶表示部である請求項１乃至請求項１０のいずれか一項記載の表示装置。
【請求項１２】
第１の色成分の光を発する第１の副画素、第２の色成分の光を発する第２の副画素及び第３の色成分の光を発する第３の副画素を含む画素を備える表示部を用いる表示方法であって、
前記第１の色成分の階調値、前記第２の色成分の階調値及び前記第３の色成分の階調値を示す第１の画像信号に基づいて、少なくとも前記第１の副画素の階調値、前記第２の副画素の階調値及び前記第３の副画素の階調値を示す第２の画像信号であって、前記第１の色成分、前記第２の色成分及び前記第３の色成分の少なくとも１つの色成分の最大階調値が前記最大階調値より小さい第１の階調値となるような第２画像信号を生成し、
前記第２の画像信号を前記表示部に供給する表示方法。
【発明の詳細な説明】
【技術分野】
【０００１】
本発明の実施形態は表示装置及び表示方法に関する。
【背景技術】
【０００２】
表示装置の１画素は、それぞれ異なる色の光を発する複数の副画素からなる。異なる色は、例えば赤色（Ｒ）、緑色（Ｇ）及び青色（Ｂ）である。近年、赤色、緑色及び青色に加えて、例えば白色（Ｗ）の光を出力する副画素も含む複数の画素からなる表示装置が開発されている。
【０００３】
一般的な画像信号は、各画素の赤色成分、緑色成分及び青色成分の輝度に対応する階調値を含むが、白色成分の輝度に対応する階調値は含まない。そのため、表示装置の１画素が赤色、緑色、青色及び白色の４色の光を出力する４副画素からなる場合、赤色成分、緑色成分及び青色成分の階調値を含む画像信号を赤色成分、緑色成分、青色成分及び白色成分の階調値を含む画像信号に変換する必要がある。このようなＲＧＢ／ＲＧＢＷ変換により得られた画像信号に基づいて画像を表示した場合、画質が悪くなることがある。
【先行技術文献】
【特許文献】
【０００４】
【特許文献１】特開２０１３−１６７７６６号公報
【発明の概要】
【発明が解決しようとする課題】
【０００５】
本発明の目的は、高画質の画像を表示できる表示装置及び表示方法を提供することである。
【課題を解決するための手段】
【０００６】
実施形態によれば、表示装置は、表示部と表示制御部を具備する。表示部は、第１の色成分の光を発する第１の副画素、第２の色成分の光を発する第２の副画素及び第３の色成分の光を発する第３の副画素を含む画素を備える。表示制御部は、第１の色成分の階調値、第２の色成分の階調値及び第３の色成分の階調値を示す第１の画像信号に基づいて、少なくとも第１の副画素の階調値、第２の副画素の階調値及び第３の副画素の階調値を示す第２の画像信号を生成し、第２の画像信号を表示部に供給する。表示制御部は、第１の色成分、第２の色成分及び第３の色成分の少なくとも１つの色成分の最大階調値が最大階調値より小さい第１の階調値となるように第２画像信号を生成する。
【図面の簡単な説明】
【０００７】
【図１】実施形態に係る表示装置ＤＳＰの構成の一例を概略的に示す平面図。
【図２】画素ＰＸの基本構成の一例を示すブロック図。
【図３】画素ＰＸの等価回路の一例を示す回路図。
【図４】図１に示した表示パネルＰＮＬの領域Ａ３の右上の角部を拡大した平面図。
【図５】図４に示したＡ−Ｂ線に沿った表示装置ＤＳＰの断面図。
【図６】表示パネルＰＮＬ（表示領域ＤＡ）に配置されている複数の画素ＰＸの配列の一例を示す図。
【図７】表示パネルＰＮＬに画像を表示する際の表示装置ＤＳＰの処理手順を示す図。
【図８】図７のブロック１０４で実行されるレンダリング処理の一例の概要を示す図。
【図９】図７のブロック１０４で実行されるレンダリング処理の他の例の概要を示す図。
【図１０】図８に示すレンダリング処理により得られた画像信号による表示の一例を示す図。
【図１１】図１０に示す表示例における輝度の時間変化の一例を示す図。
【図１２】液晶の応答速度の一例を示す図。
【図１３】第１実施形態に係るレンダリング処理より得られた画像信号による表示の一例を示す図。
【図１４】図１３に示す表示例における輝度の時間変化の一例を示す図。
【図１５】第１実施形態に係るレンダリング処理の一例を示すフローチャート。
【図１６】第２実施形態に係るレンダリング処理の一例を示す図。
【図１７】第３実施形態に係る階調補正処理の一例を示す図。
【発明を実施するための形態】
【０００８】
以下、図面を参照して、実施形態を説明する。以下の説明は、実施形態の技術的思想を具体化するための装置や方法を例示するものであって、実施形態の技術的思想は、以下に説明する構成要素の構造、形状、配置、材質等に限定されるものではない。当業者が容易に想到し得る変形は、当然に開示の範囲に含まれる。説明をより明確にするため、図面において、各要素のサイズ、厚み、平面寸法又は形状等を実際の実施態様に対して変更して模式的に表す場合もある。複数の図面において、互いの寸法の関係や比率が異なる要素が含まれることもある。複数の図面において、対応する要素には同じ参照数字を付して重複する説明を省略する場合もある。いくつかの要素に複数の呼称を付す場合があるが、これら呼称の例はあくまで例示であり、これらの要素に他の呼称を付すことを否定するものではない。また、複数の呼称が付されていない要素についても、他の呼称を付すことを否定するものではない。なお、以下の説明において、「接続」は直接接続のみならず、他の要素を介して接続されることも意味する。
【０００９】
［第１実施形態］  
図１は、実施形態に係る表示装置ＤＳＰの構成の一例を概略的に示す平面図である。図１は、第１の方向Ｘと、第１の方向Ｘに垂直な第２の方向Ｙと、第１の方向Ｘ及び第２の方向Ｙに垂直な第３の方向Ｚによって規定される三次元空間を示す。第１の方向Ｘと第２の方向Ｙは、表示装置パネルＰＮＬの主面に平行である。第３の方向Ｚは、表示装置パネルＰＮＬの主面に垂直であり、表示装置ＤＳＰの厚さ方向と対応する。第１の方向Ｘ及び第２の方向Ｙは互いに直交するが、第１の方向Ｘ及び第２の方向Ｙは９０°以外の角度で交差してもよい。第３の方向Ｚの矢印の先端側（Ｚの＋側）を上側と称し、第３の方向Ｚの矢印の先端と反対の端部（Ｚの−側）を下側と称する。「第１部材の上の第２部材」及び「第１部材の下の第２部材」の表現は、第２部材は第１部材に接する場合と第２部材は第１部材から離れて位置する場合を含む。第３の方向Ｚを示す矢印の先端側に表示装置ＤＳＰを観察する観察位置があるものとし、この観察位置から、第１の方向Ｘ及び第２の方向Ｙで規定されるＸ−Ｙ平面を見ることを平面視という。
【００１０】
実施形態においては、表示装置ＤＳＰが液晶層を用いた液晶表示装置であるとして説明するが、表示装置ＤＳＰは、有機ＥＬ表示装置、プラズマディスプレイ表示装置、電気泳動素子等を有する電子ペーパ型の表示装置、ＭＥＭＳ（Micro Electro Mechanical System）を応用した表示装置、エレクトロクロミズムを応用した表示装置又はＬＥＤ（Light Emitting Diode）を用いたＬＥＤ表示装置等であってもよい。
【００１１】
表示装置ＤＳＰは、表示パネルＰＮＬ、フレキシブルプリント回路基板１２、ＩＣチップ１４及び回路基板１６を備える。
表示パネルＰＮＬは、液晶表示パネルであり、第１基板（アレイ基板とも称する）ＳＵＢ１、第２基板（対向基板とも称する）ＳＵＢ２、液晶層ＬＣ、シールＳＥ及び遮光層ＬＳを備える。表示パネルＰＮＬは、画像を表示する表示領域ＤＡと表示領域ＤＡを囲む額縁状の非表示領域ＮＤＡを備える。液晶層ＬＣは表示領域ＤＡに配置される。第２基板ＳＵＢ２は第１基板ＳＵＢ１に対向している。第１基板ＳＵＢ１は第２基板ＳＵＢ２よりも第２の方向Ｙに延出した実装部ＭＡを有する。
【００１２】
一般的には、表示パネルＰＮＬの平面形状は矩形状であるが、矩形の角部が丸くなっていたり、辺の一部に切り欠きが形成されたりしている矩形状であることもある。図１の例では、表示パネルＰＮＬの短辺は第１の方向Ｘと並行であり、表示パネルＰＮＬの長辺は第２の方向Ｙと平行である。第３の方向Ｚは、表示パネルＰＮＬの厚さ方向に相当する。表示パネルＰＮＬの基板主面は、第１の方向Ｘと第２の方向Ｙとにより規定されるＸ−Ｙ平面に平行な面である。
【００１３】
遮光層ＬＳは、非表示領域ＮＤＡに位置し、第２基板ＳＵＢ２に設けられる。シールＳＥは、非表示領域ＮＤＡに位置し、第１基板ＳＵＢ１と第２基板ＳＵＢ２を接着するとともに、液晶層ＬＣを封止している。シールＳＥは、平面視で遮光層ＬＳと重畳する位置に設けられる。非表示領域ＮＤＡは、平面視で遮光層ＬＳ及び液晶層ＬＣが重畳する領域Ａ１と平面視でシールＳＥ及び遮光層ＬＳが重畳する領域Ａ２を含む。領域Ａ１は表示領域ＤＡを囲み、領域Ａ２は領域Ａ１を囲む。図１において、領域Ａ１、領域Ａ２及び表示領域ＤＡは、それぞれ異なる斜線で示される。
【００１４】
表示領域ＤＡは、第１の方向（列方向）Ｘ及び第２の方向（行方向）Ｙにマトリクス状に配置された複数の画素ＰＸを備える。
フレキシブルプリント回路基板１２は、実装部ＭＡに実装され、回路基板１６に接続される。ＩＣチップ１４は、フレキシブルプリント回路基板１２に実装されるが、実装部ＭＡに実装されてもよい。ＩＣチップ１４は、ディスプレイドライバＤＤを内蔵する。ディスプレイドライバＤＤは、画像を表示する画像表示モードにおいて画像表示に必要な信号を出力する。
【００１５】
後述するように、実施形態の表示パネルＰＮＬの各画素は、赤色成分、緑色成分、青色成分及び白色成分の４副画素からなる。ディスプレイドライバＤＤは、赤、緑及び青の輝度に対応する階調値を含む第１画像信号を赤色成分、緑色成分、青色成分及び白色成分の輝度に対応する階調値を含む第２画像信号に変換する機能も有する。
【００１６】
ＩＣチップ１４は、タッチコントローラＴＣも内蔵する。タッチコントローラＴＣは、表示装置ＤＳＰへの物体の接近又は接触を検出するタッチセンシングモードを制御する。ディスプレイドライバＤＤとタッチコントローラＴＣは単一のＩＣチップ１４に内蔵されるのではなく、別々のＩＣチップとして形成されてもよい。
【００１７】
回路基板１６にはホスト装置（図示せず）が実装され、ホスト装置はフレキシブルプリント回路基板１２を介してＩＣチップ１４及び表示パネルＰＮＬに接続される。
表示パネルＰＮＬは、基板主面の法線に沿った縦電界を利用する表示モード、基板主面に沿った横電界を利用する表示モード、基板主面に対して斜め方向に傾斜した傾斜電界を利用する表示モード及び上記の横電界、縦電界及び傾斜電界を適宜組み合わせて利用する表示モードに対応したいずれの構成を備えていてもよい。
【００１８】
縦電界を利用する表示モードは、表示装置ＤＳＰの厚さ方向（Ｚ方向）に電界が印加される所謂縦電界モードと称される。縦電界モードは例えばＴＮ（Twisted Nematic）モード、ＶＡ（Vertical Alignment）モード、ＭＶＡ（Multidomain Vertical Alignment）モード、ＰＶＡ（Patterned Vertical Alignment）モード又はＯＣＢ（Optically Compensated Bend）モード等を含む。
【００１９】
横電界を利用する表示モードは、表示装置ＤＳＰの基板主面に沿った方向（Ｘ−Ｙ平面の面に沿った方向）に電界が印加される所謂横電界モードと称される。横電界モードは例えばＩＰＳ（In-Plane Switching：インプレーンスイッチング）モード又はＩＰＳモードの一つであるＦＦＳ（Fringe Field Switching：フリンジフィールドスイッチング）モード等を含む。
【００２０】
実施形態としては横電界モードであるＦＦＳモードの表示装置ＤＳＰを説明するが、実施形態は他の横電界モードあるいは他の電界モードの表示装置ＤＳＰにも適用可能である。
図２は、画素ＰＸの基本構成の一例を示す。第１の方向Ｘに沿って配列される各行の画素ＰＸに走査線Ｇが接続される。複数の走査線Ｇは、走査線駆動回路ＧＤに接続される。走査線駆動回路ＧＤは単数ではなく複数設けても良い。図２の例では、マトリクス状に配置された画素アレイの左右に２つの走査線駆動回路ＧＤが夫々配置される。奇数番目の行の走査線Ｇが左側に配置された走査線駆動回路ＧＤに接続され、偶数番目の行の走査線Ｓが右側に配置された走査線駆動回路ＧＤに接続される。
【００２１】
第２の方向Ｙに沿って配列される各列の画素ＰＸに信号線Ｓが接続される。複数の信号線Ｓは、信号線駆動回路ＳＤに接続される。走査線Ｇ及び信号線Ｓは、必ずしも直線的に延出していなくてもよく、それらの一部が屈曲していてもよい。例えば、信号線Ｓは、その一部が屈曲していたとしても、第２の方向Ｙに延出していると見做す。Ｘに沿って配列される各行の画素ＰＸに共通電極ＣＥが接続される。複数の共通電極ＣＥは、電圧供給部ＣＤ及び図１に示したタッチコントローラＴＣに接続される。画像表示モードにおいては、電圧供給部ＣＤは、コモン電圧（Ｖｃｏｍ）を共通電極ＣＥに供給する。タッチセンシングモードにおいては、タッチコントローラＴＣは、コモン電圧とは異なるタッチ駆動電圧を共通電極ＣＥに供給する。
【００２２】
図３は、画素ＰＸの等価回路の一例を示す。表示パネルＰＮＬの表示領域ＤＡには、多数の画素ＰＸが配置されるが、図３においては、説明の便宜上、複数の画素ＰＸのうちの１つの画素のみを示す。画素ＰＸは、例えば４副画素ＳＲ、ＳＧ、ＳＢ及びＳＷを含む。副画素ＳＲは、赤色の波長帯域に対応する赤色の光を発する。副画素ＳＧは、緑色の波長帯域に対応する緑色の光を発する。副画素ＳＢは、青色の波長帯域に対応する青色の光を発する。副画素ＳＷは、白色の波長帯域に対応する白色の光を発する。１画素ＰＸにおいて、副画素ＳＲ、ＳＧ、ＳＢ及びＳＷは、所定の態様、例えば行方向（第１の方向Ｘ）に一列で配置される。
【００２３】
表示領域ＤＡには、行方向（第２の方向Ｘ）に沿って延伸する複数の走査線Ｇと、当該複数の走査線Ｇと並行して延伸する複数の共通電極ＣＥと、列方向（第２の方向Ｙ）に沿って延伸する複数の信号線Ｓが配置される。走査線Ｇの一端は、走査線駆動回路ＧＤに接続される。信号線Ｓの一端は、信号線駆動回路ＳＤに接続される。共通電極ＣＥの一端は、電圧供給部ＣＤに接続される。
【００２４】
各副画素ＳＲ、ＳＧ、ＳＢ及びＳＷは、走査線Ｇと信号線Ｓの交点に配置される。副画素ＳＲ、ＳＧ、ＳＢ、ＳＷの各々は、スイッチング素子ＳＷ、画素電極ＰＥ、共通電極ＣＥ及び液晶層ＬＣ等を備える。スイッチング素子ＳＷは、例えば薄膜トランジスタ（ＴＦＴ）によって構成され、走査線Ｇと信号線Ｓに電気的に接続される。走査線Ｇは、第１の方向Ｘに並んだ画素ＰＸの各々におけるスイッチング素子ＳＷのゲート電極と電気的に接続される。信号線Ｓは、第２の方向Ｙに並んだ画素ＰＸの各々におけるスイッチング素子ＳＷのソース電極又はドレイン電極と電気的に接続される。
【００２５】
画素電極ＰＥは、スイッチング素子ＳＷのドレイン電極又はソース電極と電気的に接続される。画素電極ＰＥは、共通電極ＣＥと対向し、画素電極ＰＥと共通電極ＣＥとの間に生じる電界によって液晶層ＬＣを駆動する。容量ＣＳは、例えば、共通電極ＣＥと同電位の電極及び画素電極ＰＥと同電位の電極の間に形成される。
【００２６】
走査線駆動回路ＧＤは、走査線Ｇにオン電圧を印加して、当該走査線Ｇに電気的に接続された画素スイッチＳＷのゲート電極にオン電圧を供給する。ゲート電極にオン電圧が供給された画素スイッチＳＷのソース電極−ドレイン電極間が導通する。
信号線駆動回路ＳＤは、信号線Ｓのそれぞれに対応する出力信号（画像信号）を供給する。信号線Ｓに供給された信号は、ソース電極−ドレイン電極間が導通した画素スイッチＳＷを介して、対応する画素電極ＰＥに印加される。
【００２７】
電圧供給部ＣＤは、共通電極ＣＯＭＥに駆動信号を供給する。上記した画素電極ＰＥ及び共通電極ＣＯＭＥは、絶縁膜を介して対向配置される。画素電極ＰＥ、共通電極ＣＯＭＥ及び絶縁膜は、保持容量ＣＳを形成する。
４つの各副画素ＳＲ、ＳＧ、ＳＢ及びＳＷの中の副画素ＳＲについて説明したが、他の副画素ＳＧ、ＳＢ及びＳＷについても同様の構成である。
【００２８】
走査線駆動回路ＧＤ、信号線駆動回路ＳＤ及び電圧供給部ＣＤは、表示パネルＰＮＬの周囲の領域（額縁）に配置され、上記したディスプレイドライバＤＤによって制御される。図示されていないが、ディスプレイドライバＤＤは、照明装置ＩＬの動作も制御する。
【００２９】
図２においては１つの走査線駆動回路ＧＤのみが示されているが、表示パネルＰＮＬは、複数の走査線駆動回路ＧＤを備える構成であってもよい。例えば２つの走査線駆動回路ＧＤを備える場合、複数の走査線Ｇのうちの一部が一方の走査線駆動回路ＧＤに接続され、残りが他方の走査線駆動回路ＧＤに接続されるようにすることができる。なお、２つの走査線駆動回路ＧＤを備える場合、当該走査線駆動回路ＧＤは、複数の画素ＰＸを挟んで対向するように配置される。
【００３０】
図４は、図１に示した表示パネルＰＮＬの領域Ａ３の右上の角部を拡大した平面図である。図４を参照して第１基板ＳＵＢ１の主要部について説明する。図示した表示領域ＤＡは、横電界を利用する表示モードの一つであるフリンジシールドスイッチング（ＦＦＳ）モードが適用された例に相当する。
【００３１】
走査線Ｇ１乃至Ｇ３は、それぞれ第１の方向Ｘに沿って直線的に延出し、第２の方向Ｙに間隔を置いて並んでいる。信号線Ｓ１乃至Ｓ３は、それぞれ概ね第２の方向Ｙに沿って延出し、第１の方向Ｘに間隔をおいて並んでいる。走査線Ｇ１乃至Ｇ３及び信号線Ｓ１乃至Ｓ３は、互いに交差している。金属配線Ｍ１乃至Ｍ３は、それぞれ信号線Ｓ１乃至Ｓ３の上に重畳している。共通電極ＣＥは、表示領域ＤＡに配置され、信号線Ｓ１乃至Ｓ３及び金属配線Ｍ１乃至Ｍ３に重畳している。
【００３２】
画素電極ＰＥは、表示領域ＤＡにおいて、第１の方向Ｘ及び第２の方向Ｙにマトリクス状に配置される。走査線Ｇ１及びＧ２の間の奇数番目の行に位置する画素電極ＰＥ１は、方向Ｄ１に沿って延出した複数の帯電極Ｐａ１を有する。走査線Ｇ２及びＧ３の間の偶数番目の行に位置する画素電極ＰＥ２は、方向Ｄ２に沿って延出した複数の帯電極Ｐａ２を有する。図示した例では、帯電極Ｐａ１及びＰａ２は、それぞれ３本であるが、帯電極Ｐａ１及びＰａ２のそれぞれの本数は図示した例に限らない。
【００３３】
表示領域ＤＡの外側の領域Ａ１に着目すると、金属配線３０と透明導電層３１及び３２は、表示領域ＤＡを囲むように配置される。金属電極４１は、透明導電層３１及び３２に重畳する位置に島状に形成される。金属電極４２は、金属配線３０及び透明導電層３１に重畳する位置に島状に形成される。
【００３４】
金属配線３０は、信号線Ｓ１等と同一層に位置し、信号線Ｓ１と同一材料によって形成された配線である。金属電極４１及び４２は、金属配線Ｍ１等と同一層に位置し、金属配線Ｍ１と同一材料によって形成された電極である。透明導電層３１は、共通電極ＣＥと同一層に位置し、共通電極ＣＥと同一材料によって形成された配線である。透明導電層３２は、画素電極ＰＥと同一層に位置し、画素電極ＰＥと同一材料によって形成された配線である。
【００３５】
金属電極４１は、金属配線３０に重畳しない位置に配置される。透明導電層３１及び金属電極４１は、貫通孔ＣＨ１において互いに電気的に接続される。透明導電層３１及び３２は、貫通孔ＣＨ２において互いに電気的に接続される。貫通孔ＣＨ１及びＣＨ２は、金属電極４１に重畳するが金属配線３０に重畳しない位置に設けられる。貫通孔ＣＨ２のエッジは、全周に亘って貫通孔ＣＨ１のエッジと交差することなく、貫通孔ＣＨ１の内側に位置する。同様の金属電極４１は、第１の方向Ｘに間隔を置いて並んでいる。
【００３６】
金属電極４２は、透明導電層３２に重畳しない位置に配置される。金属配線３０及び金属電極４２は、貫通孔ＣＨ３において互いに電気的に接続される。金属電極４２及び透明導電層３１は、貫通孔ＣＨ４において互いに電気的に接続される。貫通孔ＣＨ３及びＣＨ４は、第２の方向Ｙに間隔を置いて並んでいる。貫通孔ＣＨ３及びＣＨ４は、金属電極４２に重畳するが透明導電層３２に重畳しない位置に設けられる。同様の金属電極４２は、図示を省略するが、表示領域ＤＡと走査線駆動回路ＧＤとの間において第２の方向Ｙに間隔を置いて並んでいる。
【００３７】
以上の構造により、金属配線３０と透明導電層３１及び３２は、すべてが互いに電気的に接続され、同電位である。金属配線３０は、例えば、画像表示モード及びタッチセンシングモードにおいて、コモン電圧（Ｖｃｏｍ）を供給する。つまり、透明導電層３１及び３２は、タッチセンシングモードにおいては、タッチ駆動電圧が印加された共通電極ＣＥとは異なる電位である。
【００３８】
図５は、図４に示したＡ−Ｂ線に沿った表示装置ＤＳＰの断面図である。
第１基板ＳＵＢ１は、絶縁基板５２、絶縁膜５４、５６、５８、６０、６２、６４、半導体層ＳＣ、信号線Ｓ１及びＳ２、金属配線Ｍ１及びＭ２、共通電極ＣＥ、画素電極ＰＥ１、配向膜ＡＬ１等を備える。絶縁基板５２は、ガラス基板や可撓性の樹脂基板などの透明基板である。半導体層ＳＣは、絶縁膜５４の上に位置し、絶縁膜５６によって覆われている。半導体層ＳＣは、例えば、多結晶シリコンによって形成されているが、アモルファスシリコンや酸化物半導体によって形成されてもよい。図３に示した走査線Ｇ１等は、絶縁膜５６及び５８の間に位置する。
【００３９】
信号線Ｓ１及びＳ２は、絶縁膜５８の上に位置し、絶縁膜６０によって覆われている。金属配線Ｍ１及びＭ２は、絶縁膜６０の上に位置し、絶縁膜６２によって覆われている。一例では、信号線Ｓ１及び金属配線Ｍ１は、チタン（Ｔｉ）を含む層、アルミニウム（Ａｌ）を含む層、及び、チタン（Ｔｉ）を含む層がこの順に積層された第１積層体、あるいは、モリブデン（Ｍｏ）を含む層、アルミニウム（Ａｌ）を含む層、及び、モリブデン（Ｍｏ）を含む層がこの順に積層された第２積層体である。
【００４０】
共通電極ＣＥは、絶縁膜６２の上に位置し、絶縁膜６４によって覆われている。画素電極ＰＥ１は、絶縁膜６４の上に位置し、配向膜ＡＬ１によって覆われている。画素電極ＰＥ１及び共通電極ＣＥは、インジウム・ティン・オキサイド（ＩＴＯ）やインジウム・ジンク・オキサイド（ＩＺＯ）などの透明な導電材料によって形成される。
【００４１】
絶縁膜５４、５６、５８、６０、６２、６４は、シリコン酸化物、シリコン窒化物、シリコン酸窒化物などによって形成された無機絶縁膜であり、単層構造であってもよいし、多層構造であってもよい。絶縁膜６０及び６２は、例えば、アクリル樹脂などによって形成された有機絶縁膜である。なお、絶縁膜６２は、無機絶縁膜であってもよい。
【００４２】
第２基板ＳＵＢ２は、絶縁基板６６、遮光層ＢＭ、カラーフィルタ層ＣＦ、オーバーコート層ＯＣ、配向膜ＡＬ２などを備える。絶縁基板６６は、ガラス基板や可撓性の樹脂基板などの透明基板である。遮光層ＢＭは、図１に示した遮光層ＬＳと一体的に形成される。カラーフィルタ層ＣＦは、赤色のカラーフィルタＣＦＲ、緑色のカラーフィルタＣＦＧ、青色のカラーフィルタＣＦＢ及び白色のカラーフィルタＣＦＷ（図５には示さず）を含む。カラーフィルタＣＦＢは、画素電極ＰＥ１と対向している。他のカラーフィルタＣＦＲ、ＣＦＧ及びＣＦＷも、それぞれ他の画素電極ＰＥと対向している。オーバーコート層ＯＣは、カラーフィルタ層ＣＦを覆っている。オーバーコート層ＯＣは、透明な有機絶縁膜である。配向膜ＡＬ２は、オーバーコート層ＯＣを覆っている。
【００４３】
液晶層ＬＣは、第１基板ＳＵＢ１及び第２基板ＳＵＢ２の間に位置し、配向膜ＡＬ１と配向膜ＡＬ２との間に保持される。
偏光板ＰＬ１を含む光学素子ＯＤ１は、絶縁基板５２に接着される。偏光板ＰＬ２を含む光学素子ＯＤ２は、絶縁基板６６に接着される。光学素子ＯＤ１及びＯＤ２は、必要に応じて位相差板、散乱層、反射防止層等を備えていてもよい。
【００４４】
このような表示パネルＰＮＬにおいては、画素電極ＰＥ１と共通電極ＣＥとの間に電界が形成されていないオフ状態において、液晶分子ＬＭは、配向膜ＡＬ１及びＡＬ２の間で所定の方向に初期配向している。このようなオフ状態では、照明装置ＩＬから表示パネルＰＮＬに向けて照射された照明光は、光学素子ＯＤ１及びＯＤ２によって吸収され、暗表示となる。一方、画素電極ＰＥ１と共通電極ＣＥとの間に電界が形成されたオン状態においては、液晶分子ＬＭは、電界により初期配向方向とは異なる方向に配向し、その配向方向は電界によって制御される。このようなオン状態では、照明光の一部は、光学素子ＯＤ１及びＯＤ２を透過し、明表示となる。
【００４５】
照明装置ＩＬは、第１基板ＳＵＢ１の下側、つまり、表示パネルＰＮＬの背面側に配置され、表示パネルＰＮＬを照明する照明具としてのバックライトユニットである。照明装置ＩＬとしては、種々の形態のバックライトユニットが利用可能であり、発光ダイオード（ＬＥＤ）を利用したもの及び冷陰極管（ＣＣＦＬ）を利用したもの等がある。照明装置ＩＬはバックライトユニットに限らず、第２基板ＳＵＢ２の上側、つまり、表示パネルＰＮＬの前面側に配置されるフロントライトユニットでもよい。照明装置ＩＬからの光が表示パネルＰＮＬを直接照明するのではなく、表示パネルＰＮＬの側面に配置された照明装置からの光が導光板を介して表示パネルＰＮＬを照明してもよい。さらに、発光素子を平面的に配列した点状光源を用いた照明装置が使用されてもよい。なお、表示装置ＤＳＰが有機ＥＬ表示装置またはＬＥＤ表示装置である場合には、表示装置ＤＳＰは照明具を備えない構成であってもよい。
【００４６】
本実施形態における表示パネルＰＮＬは、透過型、反射型、半透過型のいずれであってもよい。透過型の表示パネルＰＮＬが適用された表示装置ＤＳＰは、上記したようにバックライトユニットとしての照明装置ＩＬを備え、照明装置ＩＬからの光を選択的に透過させることで画像を表示する透過表示機能を有する。反射型の表示パネルＰＮＬが適用される表示装置ＤＳＰは、光を反射する反射層を液晶層より表示パネルＰＮＬの背面側に有し、光学素子ＯＤ２の上からの光を選択的に反射させることで画像を表示する反射表示機能を有する。なお、反射型の表示パネルＰＮＬの前面側に補助光源が備えられていてもよい。また、反射層は、金属等の反射機能を有する材料で液晶層より表示パネルＰＮＬの背面側にある電極を形成するように構成されていてもよい。半透過型の表示パネルＰＮＬが適用される表示装置ＤＳＰは、上記した透過表示機能及び反射表示機能を有する。
【００４７】
図６は、本実施形態における表示パネルＰＮＬ（表示領域ＤＡ）に配置されている複数の画素ＰＸの配列の一例を示す。画素ＰＸの各々は、４副画素ＳＲ、ＳＧ、ＳＢ及びＳＷを含む。
画素ＰＸの配列の奇数行（例えば、１行目）は、行（または水平または左右）方向に並べられた副画素ＳＲ、ＳＧ、ＳＢ及びＳＷを含む複数の画素ＰＸが行方向に配置されて構成される。同様に、画素ＰＸの配列の偶数行（例えば、２行目）は、行方向に並べられた副画素ＳＲ、ＳＧ、ＳＢ及びＳＷを含む複数の画素ＰＸが行方向に配置されて構成される。奇数行の画素ＰＸの配列と偶数行の画素ＰＸの配列において、奇数行の画素ＰＸに含まれる副画素ＳＲは偶数行の画素ＰＸに含まれる副画素ＳＢと隣接する、すなわち、奇数行の画素ＰＸと偶数行の画素ＰＸとは、行方向に半画素分ずれた状態で配置される。
【００４８】
各画素ＰＸが副画素ＳＲ、ＳＧ、ＳＢ及びＳＷを含む構成は、各画素ＰＸが副画素ＳＲ、ＳＧ及びＳＢを含む構成と比較して、光が透過する面積が大きくなることにより明度を向上させることができる。そのため、例えば照明装置ＩＬの消費電力を抑制することが可能となる。
【００４９】
図７は、表示パネルＰＮＬに画像を表示する際の表示装置ＤＳＰの処理手順の中のディスプレイドライバＤＤの処理手順について説明する。
ブロック１０２において、ディスプレイドライバＤＤは、例えば回路基板１６に実装されるホスト装置から出力される画像信号を入力する。ブロック１０２において入力される画像信号は、例えば１フレームの画像を構成する複数の画素毎に赤色成分、緑色成分及び青色成分の階調値を含む画像信号（以下、ＲＧＢ画像信号と表記）である。
【００５０】
表示パネルＰＮＬに配置されている各画素ＰＸは、赤色、緑色、青色及び白色の光をそれぞれ出力する副画素ＳＲ、ＳＧ、ＳＢ及びＳＷを含むが、ブロック１０２において入力されたＲＧＢ画像信号は赤色成分、緑色成分及び青色成分の階調値を含むが、白色成分の階調値を含まないので、表示パネルＰＮＬの画素構成に対応していない。そのため、ＲＧＢ画像信号に基づいて表示パネルＰＮＬに画像を表示する際には、ＲＧＢ画像信号を赤色成分、緑色成分、青色成分及び白色成分の階調値を含む画像信号（以下、ＲＧＢＷ画像信号と表記）に変換する必要がある。
【００５１】
このため、ブロック１０４において、ディスプレイドライバＤＤは、ブロック１０２において入力されたＲＧＢ画像信号に対してレンダリング処理を実行する。レンダリング処理は、ＲＧＢ画像信号（副画素ＳＲ、ＳＧ及びＳＢの階調値）をＲＧＢＷ画像信号（副画素ＳＲ、ＳＧ、ＳＢ及びＳＷの階調値）に変換する処理等を含む。
【００５２】
ブロック１０６において、ディスプレイドライバＤＤは、ブロック１０４におけるレンダリング処理の結果であるＲＧＢＷ画像信号の階調値に応じた表示駆動信号を出力する。これにより、ディスプレイドライバＤＤは、表示駆動信号に基づいて走査線駆動回路ＧＤ、信号線駆動回路ＳＤ及び電圧供給部ＣＤ等を駆動させ、表示パネルＰＮＬに画像を表示する。
【００５３】
図８は、図７のブロック１０４において実行されるレンダリング処理の一例の概要を示す。レンダリング処理においては、ＲＧＢ画像信号の中の２画素を構成する６副画素の階調値がＲＧＢＷ画像信号中の１画素を構成する４副画素ＳＲ、ＳＧ、ＳＢ及びＳＷの階調値に変換される。ＲＧＢ画像信号の中の１画素のサイズとＲＧＢＷ画像信号中の１画素のサイズは異なり、ＲＧＢ画像信号の中の２画素がＲＧＢＷ画像信号中の１画素に対応する、すなわち、ＲＧＢ画像信号の中の１画素（３副画素）がＲＧＢＷ画像信号中の１／１画素（２副画素）に対応する。
【００５４】
ＲＧＢ画像信号の中の２つの画素の中の一方の画素（例えば水平方向に隣接する２画素の中の左側の画素、以下、第１画素と称する）に含まれるＲ成分、Ｇ成分及びＢ成分の副画素ＳＲｅ、ＳＧｅ及びＳＢｅの線形信号をそれぞれｓｒｅ、ｓｇｅ及びｓｂｅとし、他方の１画素（例えば水平方向に隣接する２画素の中の右側の画素。以下、第２画素と称する）に含まれるＲ成分、Ｇ成分及びＢ成分の副画素ＳＲｏ、ＳＧｏ及びＳＢｏの線形信号をそれぞれｓｒｏ、ｓｇｏ及びｓｂｏとする。ＲＧＢ画像信号の階調値は０〜２５５であり、線形信号の値は０〜１である。
【００５５】
なお「階調値」と「線形信号」の関係は、
「線形信号」＝（「階調値」/２５５）＾２．２              式１
「階調値」＝２５５＊「線形信号」＾０．４５              式２
であらわされる。記号「＾」は「べき乗」を意味する。
先ず、２画素のＲＧＢ画像信号が白（Ｗ）成分Ｗと白以外の色（ＲＧＢ）成分に分離される。Ｒ成分、Ｇ成分及びＢ成分の線形信号ｓｒｅ、ｓｇｅ及びｓｂｅの中の最小値が検出され、最小値の線形信号ｓｒｅ、ｓｇｅ及びｓｂｅ（以下、最小共通信号ＭＩＮ（ｓｒｅ，ｓｇｅ，ｓｂｅ）と称する）が第１画素のＷ成分の線形信号ｗｅとして抽出される。一方、線形信号ｓｒｅ、ｓｇｅ及びｓｂｅから線形信号ｗｅを減算した結果が第１画素のＲ成分の線形信号ｒｅ、Ｇ成分の線形信号ｇｅ及びＢ成分の線形信号ｂｅとして抽出され、式２に従い副画素ＳＲ、ＳＧ、ＳＢ、ＳＷの階調値に変換される。
【００５６】
例えば（ｓｒｅ，ｓｇｅ，ｓｂｅ）＝（１，０．５，１）の場合、ｗｅ（＝ｓｒｅ＝ｓｒｇ＝ｓｒｂ）＝０．５、（ｒｅ，ｇｅ，ｂｅ）＝（０．５，０，０．５）である。同様に、線形信号ｓｒｏ、ｓｇｏ及びｓｂｏの最小共通信号ＭＩＮ（ｓｒｏ，ｓｇｏ，ｓｂｏ）が第２画素のＷ成分の線形信号ｗｏとして抽出される。一方、線形信号ｓｒｏ、ｓｇｏ及びｓｂｏから線形信号ｗｏを減算した結果が第２画素のＲ成分の線形信号ｒｏ、Ｇ成分の線形信号ｇｏ及びＢ成分の線形信号ｂｏとして抽出され、式２に従い副画素ＳＲ、ＳＧ、ＳＢ、ＳＷの階調値に変換される。
【００５７】
線形信号ｒｅとｒｏに基づいて、Ｒ成分の線形信号ｒｐが算出される。具体的には、第１画素のＲ成分の線形信号ｒｅに０．５を乗算した値と第２画素のＲ成分の線形信号ｒｏに０．５を乗算した値とを加算した値がＲ成分の線形信号ｒｐとして算出される。同様に、第１画素のＧ成分の線形信号ｇｅに０．５を乗算した値と第２画素のＧ成分の線形信号ｇｏに０．５を乗算した値とを加算した値がＧ成分の線形信号ｇｐとして算出される。第１画素のＢ成分の線形信号ｂｅに０．５を乗算した値と第２画素のＢ成分の線形信号ｂｏに０．５を乗算した値とを加算した値がＢ成分の線形信号ｂｐとして算出される。
【００５８】
白色は赤色、緑色及び青色の線形信号が同じ値の時（ｒｑ＝ｇｑ＝ｂｑ）に表現されるので、第１画素のＷ成分の線形信号ｗｅからＷ成分を構成するＲ成分の線形信号ｒｑ、Ｇ成分の線形信号ｇｑ及びＢ成分の線形信号ｂｑが算出される。具体的には、Ｗ成分の線形信号ｗｅを線形信号ｒｑ、ｇｑ及びｂｑとする（ｗｅ＝ｒｑ＝ｇｑ＝ｂｑ）。同様に、第２画素のＷ成分の線形信号ｗｏからＷ成分の線形信号ｗｑが生成される。具体的には、線形信号ｗｏが線形信号ｗｑとなる。
【００５９】
Ｒ成分の線形信号ｒｐとｒｑと、Ｇ成分の線形信号ｇｐとｇｑ、Ｂ成分の線形信号ｂｐとｂｑと、Ｗ成分の線形信号ｗｑとを合成（加算）することによって、副画素ＳＲ、ＳＧ、ＳＢ及びＳＷの階調値を含む１画素のＲＧＢＷ画像信号が生成される。具体的には、Ｒ成分の線形信号ｒｐとｒｑの和を式２に従い変換したものが副画素ＳＲの階調値とされ、Ｇ成分の線形信号ｇｐとｇｑの和を式２に従い変換したものが副画素ＳＧの階調値とされ、Ｂ成分の線形信号ｂｐとｂｑの和を式２に従い変換したものが副画素ＳＢの階調値とされ、Ｗ成分の線形信号ｗｑを式２に従い変換したものが副画素ＳＷの階調値とされる。
【００６０】
ディスプレイドライバＤＤから出力される表示駆動信号のレベルは副画素ＳＲ、ＳＧ及びＳＢの輝度と副画素ＳＷの輝度の比が１対１となるように制御されている。すなわち、線形信号ｒｑ、ｇｑ及びｂｑの論理和に対応する輝度は線形信号ｗｑに対応する輝度と等しい。このため、ＲＧＢ成分の解像度は、レンダリング前のＲＧＢ画像信号の解像度に対して１／２画素であるが、Ｗ成分の解像度は２画素である。
【００６１】
図８に示す処理をＲＧＢ画像信号の２画素毎に実行することによって、１フレームの画像を表示するためのＲＧＢ画像信号をＲＧＢＷ画像信号に変換することができる。
図９は、図７のブロック１０４で実行されるレンダリング処理の他の例の概要を示す。図８と図９は、ＲＧＢＷ画像信号において副画素ＳＲ、ＳＧ及びＳＢの輝度（線形信号ｒｑ、ｇｑ及びｂｑの論理和に対応）と副画素ＳＷの輝度（線形信号ｗｑに対応）との比が異なる。図８は、副画素ＳＲ、ＳＧ及びＳＢの輝度と副画素ＳＷの輝度の比が１対１の場合であるが、図９は、副画素ＳＲ、ＳＧ及びＳＢの輝度と副画素ＳＷの輝度の比が１対０．５の場合（副画素ＳＲ、ＳＧ、ＳＢ及びＳＷの輝度は１．５）である。
【００６２】
図９の処理においても、図８の処理と同様に、先ず、２画素のＲＧＢ画像信号が白（Ｗ）成分Ｗと白以外の色（ＲＧＢ）成分に分離される。Ｒ成分、Ｇ成分及びＢ成分の線形信号ｓｒｅ、ｓｇｅ及びｓｂｅの最小共通信号ＭＩＮ（ｓｒｅ，ｓｇｅ，ｓｂｅ）が第１画素のＷ成分の線形信号ｗｅとして抽出される。一方、線形信号ｓｒｅ、ｓｇｅ及びｓｂｅから線形信号ｗｅを減算した結果が第１画素のＲ成分の線形信号ｒｅ、Ｇ成分の線形信号ｇｅ及びＢ成分の線形信号ｂｅとして抽出され、式２に従い副画素ＳＲ、ＳＧ、ＳＢ、ＳＷの階調値に変換される。
【００６３】
同様に、線形信号ｓｒｏ、ｓｇｏ及びｓｂｏの最小共通信号ＭＩＮ（ｓｒｏ，ｓｇｏ，ｓｂｏ）が第２画素のＷ成分の線形信号ｗｏとして抽出される。一方、線形信号ｓｒｏ、ｓｇｏ及びｓｂｏから線形信号ｗｏを減算した結果が第２画素のＲ成分の線形信号ｒｏ、Ｇ成分の線形信号ｇｏ及びＢ成分の線形信号ｂｏとして抽出され、式２に従い副画素ＳＲ、ＳＧ、ＳＢ、ＳＷの階調値に変換される。
【００６４】
第１画素のＲ成分の線形信号ｒｅに０．５を乗算した値と第２画素のＲ成分の線形信号ｒｏに０．５を乗算した値とを加算した値がＲ成分の線形信号ｒｐとして算出される。第１画素のＧ成分の線形信号ｇｅに０．５を乗算した値と第２画素のＧ成分の線形信号ｇｏに０．５を乗算した値とを加算した値がＧ成分の線形信号ｇｐとして算出される。第１画素のＢ成分の線形信号ｂｅに０．５を乗算した値と第２画素のＢ成分の線形信号ｂｏに０．５を乗算した値とを加算した値がＢ成分の線形信号ｂｐとして算出される。
【００６５】
図９では副画素ＳＲ、ＳＧ及びＳＢの輝度と副画素ＳＷの輝度の比が１対０．５と設定されているので、図８の処理とは異なり、線形信号ｗｅを１．５／２倍してＲ成分の線形信号ｒｑ１、Ｇ成分の線形信号ｇｑ１及びＢ成分の線形信号ｂｑ１が算出される。線形信号ｒｑ１、ｇｑ１及びｂｑ１の論理和は輝度０．７５に対応する２２４階調に対応する。線形信号ｗｏを１．５／２倍して副画素ＳＲ、ＳＧ、ＳＢ及びＳＷの線形信号ｒｑ２、ｇｑ２、ｂｑ２及びｗｑ２が算出される。線形信号ｗｑ２は輝度０．５に対応する２５５階調に対応し、線形信号ｒｑ２、ｇｑ２、ｂｑ２の論理和は輝度０．２５に対応する１３６階調に対応し、線形信号ｗｏから求められた線形信号ｒｑ２、ｇｑ２、ｂｑ２及びｗｑ２の論理和の輝度は０．７５となる。なお、表示パネルＰＮＬにはガンマ特性があり、階調値と輝度はイコールではない。ここでは、ガンマは例えば２．２としている。そのため、輝度は階調値の２．２乗と等しい。
【００６６】
Ｒ成分の線形信号ｒｑ１とｒｑ２の和がＲ成分の線形信号ｒｑとされる。Ｇ成分の線形信号ｇｑ１とｇｑ２の和がＧ成分の線形信号ｇｑとされる。Ｂ成分の線形信号ｂｑ１とｂｑ２の和がＢ成分の線形信号ｂｑとされる。
最後に、図８の処理と同様に、Ｒ成分の線形信号ｒｐとｒｑと、Ｇ成分の線形信号ｇｐとｇｑ、Ｂ成分の線形信号ｂｐとｂｑと、Ｗ成分の線形信号ｗｑとを合成（加算）することによって、副画素ＳＲ、ＳＧ、ＳＢ及びＳＷの階調値を含む１画素のＲＧＢＷ画像信号が生成される。
【００６７】
具体的には、Ｒ成分の線形信号ｒｐとｒｑの和を式２に従い変換したものが副画素ＳＲの階調値とされ、Ｇ成分の線形信号ｇｐとｇｑの和を式２に従い変換したものが副画素ＳＧの階調値とされ、Ｂ成分の線形信号ｂｐとｂｑの和を式２に従い変換したものが副画素ＳＢの階調値とされ、Ｗ成分の線形信号ｗｑを式２に従い変換したものが副画素ＳＷの階調値とされる。
【００６８】
以上、図８に示すレンダリング処理と図９に示すレンダリング処理の２つのレンダリング処理を説明したが、図８に示すレンダリング処理では、ＲＧＢＷ画像信号において１画素内の副画素ＳＲ、ＳＧ及びＳＢの階調値が最大又は最小であり、副画素ＳＷの階調値が最小又は最大である場合、１画素内の副画素ＳＲ、ＳＧ及びＳＢの輝度と副画素ＳＷの輝度の差が大きく、フリッカが生じることがある。
【００６９】
これを解消したい場合、図９のレンダリング処理が行われる。すなわち、１画素内の副画素ＳＲ、ＳＧ及びＳＢの輝度が最大輝度（副画素ＳＲの輝度＝副画素ＳＧの輝度＝副画素ＳＢの輝度となる最大の階調値（例えば、２５５）に対応）であり、１画素内の副画素ＳＷの輝度が最小輝度（最小の階調値（例えば、０）に対応）である場合、副画素ＳＲ、ＳＧ及びＳＢの輝度が最大輝度より多少暗い第１の中間輝度（例えば、０．７５）となるように、副画素ＳＲ、ＳＧ及びＳＢの最大の階調値が（副画素ＳＲの輝度＝副画素ＳＧの輝度＝副画素ＳＢの輝度となる）最大の階調値より多少小さい値（例えば、２２４）に変更される。
【００７０】
同様に、１画素内の副画素ＳＲ、ＳＧ及びＳＢの輝度が最小輝度（副画素ＳＲの輝度＝副画素ＳＧの輝度＝副画素ＳＢの輝度となる最小の階調値（例えば、０）に対応）であり、１画素内の副画素ＳＷの輝度が最大輝度（最大の階調値（例えば、２５５）に対応）である場合、副画素ＳＲ、ＳＧ及びＳＢの輝度が最小輝度より多少明るい第２の中間輝度（例えば、０．２５）となるように、副画素ＳＲ、ＳＧ及びＳＢの最小の階調値が（副画素ＳＲの輝度＝副画素ＳＧの輝度＝副画素ＳＢの輝度となる）最小の階調値より多少大きい値（例えば、１３６）に変更される。
【００７１】
このように、副画素ＳＷを最小輝度で点灯させ、副画素ＳＲ、ＳＧ、ＳＢを最大輝度より多少暗い第１の中間輝度で点灯させること、及び副画素ＳＷを最大輝度で点灯させ、副画素ＳＲ、ＳＧ、ＳＢを最小輝度より多少明るい第２の中間輝度で点灯させることにより、１画素内の副画素ＳＲ、ＳＧ及びＳＢの輝度と副画素ＳＷの輝度の差が小さくなり、フリッカが生じることが防止される。
【００７２】
しかし、図９に示すレンダリング処理を行っても画質が悪化する場合がある。一例として、白画素と黒画素が交互に配列される市松模様が１表示フレーム毎に１画素横（水平）方向に移動するようなテストパターンを表示する場合がある。このようなテストパターンを図９に示すレンダリング処理を行って表示する場合の表示画面の例を図１０に示す。なお、移動方向は横（水平）方向ではなく縦（垂直）方向でも表示画面は図１０の例と同じである。
【００７３】
テストパターンはＲＧＢ画像信号で表される。図１０（ａ）と図１０（ｂ）は赤、緑及び青の光を発する副画素からなる画素を含む表示パネル（ＲＧＢ表示パネルとも称する）におけるテストパターンの表示例を階調値により示す。テストパターンはＲＧＢ画像信号であるので、テストパターンの階調値がレンダリング処理されずにそのままＲＧＢ表示パネルで表示される。
【００７４】
図１０（ｃ）と図１０（ｄ）は赤色、緑色、青色及び白色の光を発する副画素からなる画素を含む第１実施形態に係る表示パネル（ＲＧＢＷ表示パネルとも称する）ＰＮＬにおけるテストパターンの表示例を階調値により示す。ＲＧＢ画像信号であるテストパターンは図９に示すようにレンダリング処理されてＲＧＢＷ表示パネルＰＮＬで表示される。
【００７５】
図１０（ａ）の画面では、水平方向に隣接する２画素（６副画素）の中の左側の白画素の画像信号の階調値（３副画素の階調値の論理和）は最大値（＝２５５、最大輝度１．０に対応）であり、右側の黒画素の画像信号の階調値は最小値（＝０、最小輝度０．０に対応）である。図１０（ｂ）の画面では、水平方向に隣接する２画素（６副画素）の中の左側の黒画素の画像信号の階調値は最小値（＝０、最小輝度０．０に対応）であり、右側の白画素の画像信号の階調値は最大値（＝２５５、最大輝度１．０に対応）である。
【００７６】
液晶の応答速度は輝度が最大値から最小値へ変化する場合と最小値から最大値へ変化する場合とで同じである。そのため、図１０（ａ）の画面と図１０（ｂ）の画面が交互に表示されても、フリッカは生じない。
図１０（ａ）の表示に対応するテストパターンを図９に示すようにレンダリング処理すると、図１０（ｃ）に示すように、１画素を構成する４副画素の中の副画素ＳＲ、ＳＧ及びＳＢを白画素とし、副画素ＳＷを黒画素として表示する場合、副画素ＳＲ、ＳＧ及びＳＢの階調値は最大値（＝２５５）から多少下がり、２２４となる。これにより、白画素の輝度は１．０から０．７５に低下し、隣接する黒画素の輝度０．０に多少近づく。
【００７７】
同様に、図１０（ｂ）の表示に対応するテストパターンを図９に示すようにレンダリング処理すると、図１０（ｄ）に示すように、１画素を構成する４副画素の中の副画素ＳＲ、ＳＧ及びＳＢを黒画素とし、副画素ＳＷを白画素として表示する場合、副画素ＳＲ、ＳＧ及びＳＢの階調値は黒画素の階調値（＝０）から多少上がり、１３６となる。これにより、黒画素の輝度は０．０から０．２５に増加し、隣接する白画素の輝度１．０に多少近づく。
【００７８】
液晶の応答速度は、最大輝度より多少暗い第１の中間輝度（＝０．７５）と最小輝度より多少明るい第２の中間輝度（＝０．２５）との間で変化する場合と、最大輝度と最小輝度との間で変化する場合とで異なる。このため、図１０（ａ）、（ｂ）に示すようなテストパターンを表示する場合、図１０（ｃ）の画面と図１０（ｄ）の画面が交互に表示され、副画素ＳＲ、ＳＧ及びＳＢの応答速度と副画素ＳＷの応答速度の違いによりフリッカが生じる。
【００７９】
図１０には示していないが、ＲＧＢ画像信号であるテストパターンを図８に示すようにレンダリング処理してＲＧＢＷ表示パネルＰＮＬで表示する場合は、副画素ＳＲ、ＳＧ及びＳＢと副画素ＳＷがともに最大輝度と最小輝度との間で変化するので、フリッカが生じることがない。
【００８０】
図１１は副画素ＳＲ、ＳＧ及びＳＢの応答速度と副画素ＳＷの応答速度の違いによりフリッカが生じる様子を示す。図１１（ａ）に示すように、１フレーム毎に、副画素ＳＲ、ＳＧ及びＳＢの階調値が２２４（第１の中間輝度に対応）と１３６（第２の中間輝度に対応）の間で変化し、副画素ＳＷの階調値が２５５（最大輝度に対応）と０（最小輝度に対応）の間で変化するテストパターンをＲＧＢＷ表示パネルＰＮＬで表示することを想定する。図１１（ｂ）は副画素ＳＲ、ＳＧ及びＳＢの輝度と副画素ＳＷの輝度の応答特性を示す。図１１（ｂ）の縦軸は輝度、横軸は表示フレームを示す。１フレーム毎に、副画素ＳＲ、ＳＧ及びＳＢの輝度は約０．２と約０．８の間で変化し、副画素ＳＷの輝度は約０．０と約０．５５の間で変化する。
【００８１】
輝度が０．２と０．８の間で変化する副画素ＳＲ、ＳＧ及びＳＢの輝度の応答特性と輝度が０と０．５５の間で変化する副画素ＳＷの輝度の応答特性が一致していれば。副画素ＳＲ、ＳＧ、ＳＢ及びＳＷからなる１画素の輝度は一定となる。しかし、図１１（ｂ）に示すように、副画素ＳＷの輝度の応答特性と副画素ＳＲ、ＳＧ及びＳＢの輝度の応答特性の違いにより、副画素ＳＲ、ＳＧ、ＳＢ及びＳＷからなる１画素の輝度は変動し、フリッカが生じる。副画素ＳＲ、ＳＧ及びＳＢの応答特性では、立ち上がりと立下りの波形がほぼ一致しているが、副画素ＳＷの応答特性では、立ち上がりが急峻であり、立下りがゆっくりであり、立ち上がりの応答速度が立下りの応答速度より速い。この応答速度の違いがフリッカの原因である。
【００８２】
そのため、副画素ＳＷの応答特性において、立ち上がり速度を遅くして、立ち上がりの応答速度と立下りの応答速度をほぼ等しくすると、図１０（ａ）、（ｂ）に示すようなテストパターンを表示する場合でもフリッカの発生を防止できる。
図１２は、階調値を０と２５５の間で変化させる場合の表示パネルＰＮＬの応答特性（実線）と、階調値を０と２５０の間で変化させる場合の表示パネルＰＮＬの応答特性（破線）を示す。図１２の縦軸は表示画面の輝度を測定するオシロスコープの出力電圧（単位：ボルト）を示し、横軸は時間（単位：秒）を示す。図１２から、１画素の階調値を０から２５５まで上げる時の表示パネルＰＮＬの輝度の応答速度に比べて１画素の階調値を０から２５０まで上げる時の表示パネルＰＮＬの輝度の応答速度が遅いことが分かる。すなわち、階調値の最大値が２５５から２５０に多少下がることにより、立ち上がり速度が多少遅くなり、立ち上がりの応答速度と立下りの応答速度がほぼ等しくなり、図１０（ａ）、（ｂ）に示すようなテストパターンを表示する場合でもフリッカの発生を防止できる。
【００８３】
このような原理に基づきフリッカを解消するために階調値を補正する実施形態におけるディスプレイドライバＤＤによるレンダリング処理の一例を図１３に示す。図１３は、図１０の場合と同様なテストパターンを表示する場合の表示画面の例を示す。実施形態によるレンダリング処理においては、フリッカを防止するために、図１０（ｄ）に示すレンダリング結果である階調値を補正する。図１３（ａ）と図１３（ｂ）は図１０（ａ）と図１０（ｂ）と同じである。図１３（ｃ）と図１３（ｄ）は図１３（ａ）と図１３（ｂ）の表示対応するテストパターンをレンダリング処理した結果に基づく表示画面の例を示す。図１３（ｃ）は図１０（ｃ）と同じである。すなわち、１画素を構成する４副画素の中の副画素ＳＲ、ＳＧ及びＳＢを白画素とし、副画素ＳＷを黒画素として表示する場合、副画素ＳＲ、ＳＧ及びＳＢの階調値は最大値（＝２５５）から多少下がり、２２４となる。これにより、白画素の輝度は１．０から０．７５に低下し、隣接する黒画素の輝度０．０に多少近づく。
【００８４】
図１３（ｄ）に示すレンダリング処理は、図９に示すレンダリング処理とは異なる。すなわち、１画素を構成する４副画素の中の副画素ＳＲ、ＳＧ及びＳＢを黒画素とし、副画素ＳＷを白画素として表示する場合、副画素ＳＷの立ち上がりの応答速度を遅くするために、副画素ＳＷの階調値を図１０（ｄ）に示す白画素の階調値２５５より多少小さい値、例えば２５０に設定する。これにより、白画素の輝度は１．０から０．９６に低下する。この輝度の低下を補償するために、黒画素として表示する副画素ＳＲ、ＳＧ及びＳＢの階調値を図１０（ｄ）に示す１３６より多少大きい値、例えば１４１に設定する。これにより、黒画素の輝度は０．０から０．２７に上昇する。
【００８５】
これにより、副画素ＳＷの応答特性において立ち上がり速度と立ち下がり速度がほぼ等しくなり、図１３（ａ）、（ｂ）に示すようなテストパターンを表示する場合でもフリッカの発生が防止される。図１４は、図１３に示すレンダリング処理を行った場合の表示パネルＰＮＬの応答特性（破線）を示す。図１４の実線の特性は、図１１（ｂ）の特性と同じである。
【００８６】
このように実施形態においては、図９に示すレンダリング処理により得られる階調値に対して、副画素ＳＷを白画素として発光させる場合の階調値を多少下げて、その分、副画素ＳＲ、ＳＧ及びＳＢを黒画素として発光させる場合の階調値を多少上げるように、レンダリング処理により得られる階調値を変更あるいは補正する。この補正量の上限を説明する。階調値と輝度は対応しているが、説明の便宜上、補正量は輝度で定義する。
【００８７】
副画素ＳＲ、ＳＧ及びＳＢを黒画素とし、副画素ＳＷを白画素として表示する際、副画素ＳＷの輝度の減少量は最大で５％とする。同様に、副画素ＳＲ、ＳＧ及びＳＢの輝度の増加量も最大で５％とする。図９に示すレンダリング処理により得られた階調値の補正がこの範囲であれば、１画素内の副画素ＳＲ、ＳＧ及びＳＢの輝度と副画素ＳＷの輝度の差が小さく、しかも副画素ＳＲ、ＳＧ及びＳＢの応答速度と副画素ＳＷの応答速度がほぼ等しいので、図１３（ａ）、（ｂ）に示すテストパターンの表示の際、フリッカの発生が防止される。
【００８８】
輝度の補正量の５％は最大値であるが、図１３（ｄ）に示した例は輝度の補正量が４％である。表示パネルＰＮＬのガンマ値が２．２であるので、階調値２５５に対応する輝度を１．０とすると、輝度を１．０から４％減少して０．９６とするためには、副画素ＳＷの階調値は２５５から２５０に変更すればよい。図９のレンダリング処理では、副画素ＳＲ、ＳＧ、ＳＢの輝度と副画素ＳＷの輝度の比は１対０．５であるので、副画素ＳＲ、ＳＧ、ＳＢの輝度０．２５を４％×０．５＝２％増加させ０．２７にするためには、副画素ＳＲ、ＳＧ、ＳＢの階調値を１３６から１４１にすればよい。
【００８９】
４％の補正の場合、ディスプレイドライバＤＤは、図１５に示すようなレンダリング処理を行う。すなわち、ブロック１２２において、図１０に示すようなテストパターンを表示するためのＲＧＢ画像信号がディスプレイドライバＤＤに入力されると、ディスプレイドライバＤＤは、ブロック１２４において、図９に示すようなレンダリング処理を行う。ディスプレイドライバＤＤは、ブロック１２６において、レンダリング処理の結果を判定する。
【００９０】
例えば、図１０（ｄ）に示すように、副画素ＳＲ、ＳＧ、ＳＢの階調値が１３６であり、かつ副画素ＳＷの階調値が２５５であるか否かが判定される。この判定結果がイエスの場合、ディスプレイドライバＤＤは、ブロック１２８において、図１３（ｄ）に示すように、副画素ＳＲ、ＳＧ、ＳＢの階調値を１３６から１４１に増加し、副画素ＳＷの階調値を２５５から２５０に減少する。
【００９１】
ブロック１２８の階調補正の後又はブロック１２６の判定結果がノーの場合、ディスプレイドライバＤＤは、ブロック１３０において、レンダリング処理の結果であるＲＧＢＷ画像信号の階調値に応じた表示駆動信号を出力する。これにより、ディスプレイドライバＤＤは、表示駆動信号に基づいて走査線駆動回路ＧＤ、信号線駆動回路ＳＤ及び電圧供給部ＣＤ等を駆動させ、表示パネルＰＮＬに画像を表示する。
【００９２】
第１実施形態によれば、副画素ＳＲ、ＳＧ及びＳＢの輝度と副画素ＳＷの輝度の比が１対０．５となるようにＲＧＢ／ＲＧＢＷ変換するレンダリング処理結果に対して、ＲＧＢＷ表示パネルのＷ副画素の最大輝度を多少下げるようにＷ成分の階調値を多少減少し、Ｗ成分の輝度の低下を補償するために副画素ＳＲ、ＳＧ及びＳＢの輝度を多少上げるようにＲ、Ｇ、Ｂ成分の階調値を多少増加する。これにより、１画素内の副画素ＳＲ、ＳＧ、ＳＢの輝度とＷ副画素の輝度の差が小さく、かつＷ副画素の応答特性において立ち上がり特性と立下り特性がほぼ等しくすることができる。このため、白画素と黒画素が交互に配列される市松模様が１表示フレーム毎に１画素移動するようなテストパターンを表示しても、フリッカの発生を防止することができる。
【００９３】
［第２実施形態］
第１実施形態では図９に示したレンダリング処理を採用したが、図８に示したレンダリング処理を採用する第２実施形態を説明する。第２実施形態でも、テストパターンは第１実施形態と同様に、白画素と黒画素が交互に配列される市松模様が１表示フレーム毎に１画素横（水平）方向に移動するようなパターンである。
【００９４】
図１６は、第２実施形態における表示画面の一例を示す。図１６（ａ）と図１６（ｂ）は、ＲＧＢ表示パネルにおけるテストパターンの表示例を示す。ＲＧＢのテストパターンの階調値はレンダリング処理されずにそのまま表示される。図１６（ｃ）と図１６（ｄ）はＲＧＢＷ表示パネルＰＮＬにおけるテストパターンの表示例を階調値により示す。テストパターンは図８に示すようにレンダリング処理されてＲＧＢＷ表示パネルＰＮＬで表示される。
【００９５】
図１６（ａ）の表示に対応するテストパターンを図８に示すようにレンダリング処理すると、図１６（ｃ）に示すように、１画素を構成する４副画素の中の副画素ＳＲ、ＳＧ及びＳＢを白画素とし、副画素ＳＷを黒画素として表示する場合、副画素ＳＲ、ＳＧ及びＳＢの階調値の論理和は白画素の階調値（＝２５５）（輝度１．０に対応）であり、副画素ＳＷの階調値は黒画素の階調値（＝０）（輝度０．０に対応）である。
【００９６】
同様に、図１６（ｄ）に示すように、１画素を構成する４副画素の中の副画素ＳＲ、ＳＧ及びＳＢを黒画素とし、副画素ＳＷを白画素として表示する場合、副画素ＳＲ、ＳＧ及びＳＢの論理和は黒画素の階調値（＝０）（輝度０．０に対応）であり、副画素ＳＷの階調値は白画素の階調値（＝２５５）（輝度１．０に対応）である。
【００９７】
このままでは、１画素内の副画素ＳＲ、ＳＧ及びＳＢの輝度と副画素ＳＷの輝度の差が大きく、フリッカが生じる。そのため、第２実施形態では、図１６（ｅ）に示すように、副画素ＳＲ、ＳＧ及びＳＢを白画素とし、副画素ＳＷを黒画素として表示する場合、副画素ＳＲ、ＳＧ及びＳＢの輝度を最大で５％減少させ、その分副画素ＳＷの輝度を増加させるように、レンダリング処理の結果が補正される。同様に、図１６（ｆ）に示すように、副画素ＳＲ、ＳＧ及びＳＢを黒画素とし、副画素ＳＷを白画素として表示する場合、副画素ＳＷの輝度を最大で５％減少させ、その分副画素ＳＲ、ＳＧ及びＳＢの輝度を最大で５％増加させるように、レンダリング処理の結果が補正される。
【００９８】
図１６（ｅ）、（ｆ）の例は輝度の補正量が４％の場合である。輝度を１．０から０．９６に減少させるためには、階調値は２５５から２５０に減少させればよい。輝度を０．０から０．０４に増加させるためには、階調値は０から６１に増加させればよい。白ラスター（画面全体が白）では、輝度は１（＝０．９６＋０．０４）で階調値は２５５である。
【００９９】
第２実施形態によれば、図１６（ａ）、（ｂ）に示すようなテストパターンを表示する場合、副画素ＳＲ、ＳＧ及びＳＢの輝度と副画素ＳＷの輝度の比が１対１となるようにＲＧＢ／ＲＧＢＷ変換するレンダリング処理結果に対して、白画素となる副画素の輝度を最大で５％減少し、黒画素となる非点灯の副画素を点灯し、輝度を最大で５％増加するように階調値を補正する。これにより、副画素ＳＲ、ＳＧ、ＳＢも副画素ＳＷも同じく輝度範囲で変化するので、１画素内の副画素ＳＲ、ＳＧ及びＳＢの輝度と副画素ＳＷの輝度の差が小さく、しかも副画素ＳＲ、ＳＧ及びＳＢの応答速度と副画素ＳＷの応答速度がほぼ等しいので、図１６（ａ）、（ｂ）に示すテストパターンの表示の際、フリッカの発生が防止される。
［第３実施形態］
第１実施形態、第２実施形態では、ＲＧＢＷ表示パネルＰＮＬを使用してＲＧＢ画像信号を表示したが、白色光を発する副画素ＳＷを含まないＲＧＢ表示パネルの場合のフリッカ対策に関する第３実施形態を説明する。第３実施形態では、副画素ＳＷの階調値を求める必要が無いので、ＲＧＢ／ＲＧＢＷ変換のためのレンダリング処理は不要である。その代わり、入力されたＲＧＢ画像信号の階調値を補正することにより、フリッカの発生を防止する。
【０１００】
図１７は第３実施形態によるＲＧＢ画像信号の補正処理の一例を示す。一般的に液晶は輝度が高いと、応答特性が不均一である。そのため、ＲＧＢ表示パネルを使用する場合も、Ｒ副画素、Ｇ副画素及びＢ副画素の間の応答特性のばらつきによりフリッカが生じることがある。第３実施形態は、最大値付近の階調値を使用しないようにＲＧＢ画像信号を補正して、補正後のＲＧＢ画像信号をＲＧＢ表示パネルに表示する。
【０１０１】
例えば、階調値２５０〜２５５を使用しないように階調値を補正する場合の補正後のＲＧＢ画像信号の階調値を図１７に示す。第１、第２実施形態と同様に、第３実施形態でも、ＲＧＢ画像信号の２画素が表示パネルの１画素に対応する。すなわち、表示パネルの１画素はＲ成分の２副画素と、Ｇ成分の２副画素と、Ｂ成分の２副画素の計６副画素からなる。
【０１０２】
白ラスターを表示する場合、図１７の左側に示すように、表示画像の１画素の白色成分の階調値が０であれば、ＲＧＢ画像信号の２画素の階調値はともに０である。表示画素の白色成分の階調値が０から２５０まで変化するにつれて、ＲＧＢ画像信号の２画素の中の一方（例えば左側）の画素の３副画素の階調値の論理和は２５０（輝度０．９６に対応）まで変化され、他方（例えば右側）の画素の３副画素の階調値の論理和は０（輝度０．００に対応）に維持される。
【０１０３】
例えば、表示画素の白色成分の階調値が１２８の場合、ＲＧＢ画像信号の２画素の中の一方（例えば左側）の画素の３副画素の階調値の論理和は１２８であり、他方（例えば右側）の画素の３副画素の階調値の論理和は０である。
表示画素の白色成分の階調値が２５０から２５５まで変化するにつれて、ＲＧＢ画像信号の２画素の中の一方（例えば左側）の画素の３副画素の階調値の論理和は２５０に維持され、他方（例えば右側）の画素の３副画素の階調値の論理和は０から６０まで変化される。
【０１０４】
すなわち、表示画素の白色成分の階調値が２５０以下の場合、ＲＧＢ画像信号の２画素の中の一方の画素の階調値が表示画素の階調値に応じた値に設定され、他方の画素の階調値が０とされる。表示画素の白色成分の階調値が２５０を超えると、２画素の中の一方の画素の階調値が２５０に維持され、他方の画素の階調値が表示画素の階調値に応じた値に設定される。このように、表示パネルの各副画素は最大輝度が０．９６に制限されるようにＲＧＢ画像信号の階調値が補正される。このため、表示パネルの各副画素は応答特性が不均一である最大輝度付近では使用されないので、各副画素の応答特性は均一となり、フリッカの発生が防止される。
【０１０５】
白以外のカラー画像を表示する場合も、白ラスターを表示する場合と同様に、図１７の右側に示すように、表示画素の赤（又は緑又は青）成分の階調値が０であれば、ＲＧＢ画像信号の２画素の３副画素の階調値の論理和はともに０とされる。表示画素の赤（又は緑又は青）成分の階調値が０から２５０まで変化する（緑又は青成分の階調値は０とする）につれて、ＲＧＢ画像信号の２画素の中の一方（例えば左側）の画素の赤（又は緑又は青）副画素の階調値は２５０（輝度０．９６に対応）まで変化され、一方（例えば左側）の画素の赤（又は緑又は青）以外の２副画素の階調値の論理和及び他方（例えば右側）の画素の３副画素の階調値の論理和は０（輝度０に対応）に維持される。
【０１０６】
例えば、表示画素の赤（又は緑又は青）成分の階調値が１２８の場合、ＲＧＢ画像信号の２画素の中の一方（例えば左側）の画素の赤（又は緑又は青）副画素の階調値は１２８であり、一方（例えば左側）の画素の赤（又は緑又は青）以外の副画素の階調値の倫理和及び他方（例えば右側）の画素の３副画素の階調値の論理和は０である。
【０１０７】
表示画素の赤（又は緑又は青）成分の階調値が２５０から２５５まで変化する（緑又は青成分の階調値は０とする）につれて、ＲＧＢ画像信号の２画素の中の一方（例えば左側）の画素の赤（又は緑又は青）副画素の階調値は２５０に維持され、一方（例えば左側）の画素の緑又は青副画素の階調値は０に維持され、他方（例えば右側）の画素の赤（緑又は青）副画素の階調値は０から６０まで変化され、他方（例えば右側）の画素の緑又は青副画素の階調値は０に維持される。
【０１０８】
すなわち、表示画素の白以外の赤（又は緑または青）成分の階調値が２５０以下の場合、ＲＧＢ画像信号の２画素の中の一方の画素の赤（又は緑または青）副画素の階調値が表示画素の階調値に応じた値に設定され、それ以外の副画素の階調値が０とされる。表示画素の白以外の赤（又は緑または青）成分の階調値が２５０を超えると、２画素の中の他方の画素の赤（又は緑または青）成分の階調値が０から６０まで変化され、それ以外の副画素の階調値が維持される。このように、表示パネルの各副画素は最大輝度が０．９６に制限されるようにＲＧＢ画像信号の階調値が補正される。このため、表示パネルの各副画素は応答特性が不均一である最大輝度付近では使用されないので、各副画素の応答特性は均一となり、フリッカの発生が防止される。
【０１０９】
階調値の最大値を２５０としているが、２５０に限定されず、２５０より多少小さい値としても良い。階調値の最大値に上限を設けることは、輝度の低下量に上限を設けることと同じである。第１、第２実施形態と同様に第３実施形態でも輝度の低下量は最大で５％である。図１７の例は、輝度が４％低下した場合と同じである。
【０１１０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。
【符号の説明】
【０１１１】
ＤＳＰ…表示装置、ＰＮＬ…表示パネル、１２…フレキシブルプリント回路基板、１４…ＩＣチップ、１６…回路基板、ＳＵＢ１…第１基板、ＳＵＢ２…第２基板、ＤＤ…ディスプレイドライバ、ＴＣ…タッチコントローラ、ＰＸ…画素、ＣＥ…共通電極、ＰＥ…画素電極、Ｓ…信号線、Ｇ…走査線、ＧＤ…走査線駆動回路、ＳＤ…走査線駆動回路、ＳＲ，ＳＧ，ＳＢ，ＳＷ…副画素。
【図１】
2020079870.tif 000003
【図２】
2020079870.tif 000004
【図３】
2020079870.tif 000005
【図４】
2020079870.tif 000006
【図５】
2020079870.tif 000007
【図６】
2020079870.tif 000008
【図７】
2020079870.tif 000009
【図８】
2020079870.tif 000010
【図９】
2020079870.tif 000011
【図１０】
2020079870.tif 000012
【図１１】
2020079870.tif 000013
【図１２】
2020079870.tif 000014
【図１３】
2020079870.tif 000015
【図１４】
2020079870.tif 000016
【図１５】
2020079870.tif 000017
【図１６】
2020079870.tif 000018
【図１７】
2020079870.tif 000019